(57)【要約】【課題】複数の誘導加熱機に対して熱処理用電源から各誘導加熱機に対して整合をとって電力を供給する誘導加熱システム及び電力供給方法を提供する。【解決手段】熱処理用電源１１と、熱処理用電源１１に接続された整合器１２と、電流変成器１３ａとこの電流変成器１３ａの二次巻線に接続された加熱コイル１３ｂとを備えた複数の誘導加熱機１３と、複数の誘導加熱機１３のそれぞれの電流変成器１３ａの一次巻線に接続された切替器１４と、複数の誘導加熱機１３のそれぞれに接続された切替器１４と整合器１２とを接続する給電路１５と、複数の誘導加熱機１３のそれぞれに接続された切替器１４のＯＮ／ＯＦＦを制御する切替制御部１６と、を備える。【選択図】図１
2015076142.tif 000002
【特許請求の範囲】
【請求項１】
熱処理用電源と、
前記熱処理用電源に接続された整合器と、
電流変成器と該電流変成器の二次巻線に接続された加熱コイルとを備えた複数の誘導加熱機と、
前記複数の誘導加熱機のそれぞれの前記電流変成器の一次巻線に接続された切替器と、
前記複数の誘導加熱機のそれぞれに接続された前記切替器と前記整合器とを接続する給電路と、
前記複数の誘導加熱機のそれぞれに接続された切替器のＯＮ／ＯＦＦを制御する切替制御部と、
を備える、誘導加熱システム。
【請求項２】
前記切替器と前記電流変成器との間に調整用コンデンサが直列又は並列に接続されている、請求項１の誘導加熱システム。
【請求項３】
前記整合器がマッチングトランスと固定コンデンサとで構成され、
前記切替器毎に、該切替器と前記電流変成器の一次巻線との間に調整用コンデンサが接続されている、請求項１又は２に記載の誘導加熱システム。
【請求項４】
前記複数の誘導加熱機のうち任意の複数の電流変成器と前記整合器との間のインダクタンスが同一の範囲となるようにする、請求項１乃至３の何れかに記載の誘導加熱システム。
【請求項５】
一方の周波数を出力する第１熱処理用電源と、
他方の周波数を出力する第２熱処理用電源と、
前記第１熱処理用電源に接続された第１整合器と、
前記第２熱処理用電源に接続された第２整合器と、
第１電流変成器及び第２電流変成器の各二次巻線が加熱コイルに接続されて構成された複数の誘導加熱機と、
前記複数の誘導加熱機のそれぞれの前記第１電流変成器の一次巻線に接続された第１切替器と、
前記複数の誘導加熱機のそれぞれの前記第２電流変成器の一次巻線に接続された第２切替器と、
前記複数の誘導加熱機のそれぞれに接続された前記第１切替器と前記第１整合器とを接続する第１給電路と、
前記複数の誘導加熱機のそれぞれに接続された前記第２切替器と前記第２整合器とを接続する第２給電路と、
前記複数の誘導加熱機のそれぞれに接続された第１切替器及び前記複数の誘導加熱機のそれぞれに接続された第２切替器のＯＮ／ＯＦＦを制御する切替制御部と、
を備える、誘導加熱システム。
【請求項６】
前記第１切替器と前記第１電流変成器との間には第１調整用コンデンサが直列又は並列に接続されているか、又は、前記第２切替器と前記第２電流変成器との間には第２調整用コンデンサが直列又は並列に接続されている、請求項５に記載の誘導加熱システム。
【請求項７】
前記第１整合器がマッチングトランスと固定コンデンサとで構成され、
前記第１切替器毎に又は前記第２切替器毎に、当該切替器と前記電流変成器の一次巻線との間に調整用コンデンサが接続されている、請求項５又は６に記載の誘導加熱システム。
【請求項８】
前記複数の誘導加熱機における任意の複数の第１電流変成器と前記第１整合器との間のインダクタンスが同一の範囲となるようにし、
前記複数の誘導加熱機における任意の複数の第２電流変成器と前記第２整合器との間のインダクタンスが同一の範囲となるようにした、請求項５乃至７の何れかに記載の誘導加熱システム。
【請求項９】
前記第１熱処理用電源の周波数が前記第２熱処理用電源の周波数よりも低く、
前記第１整合器が低周波用整合器であり、前記第１切替器毎に当該切替器と前記第１電流変成器の一次巻線との間に整合コンデンサが備えられ、
前記第２整合器が高周波用整合器と整合コンデンサを備え、前記第２電流変成器が空芯である、請求項５に記載の誘導加熱システム。
【請求項１０】
熱処理用電源から整合器を経由して複数の誘導加熱機に対して電力を供給するに当たり、
前記複数の誘導加熱機のうち一の誘導加熱機を前記熱処理用電源に接続することにより、前記整合器におけるマッチングトランスの二次巻線と前記一の誘導加熱機における電流変成器の一次巻線との間においてループ回路を形成し、
前記ループ回路の共振周波数が前記熱処理用電源の動作周波数の範囲内となるように、前記マッチングトランスと前記電流変成器との間の給電路のインダクタンス又は前記ループ回路でのキャパシタンスを調整した後に、前記一の誘導加熱機に前記熱処理用電源から電力を供給する、電力供給方法。
【発明の詳細な説明】
【技術分野】
【０００１】
本発明は、複数の誘導加熱機に電力を供給してワークを誘導加熱する誘導加熱システム及び複数の誘導加熱機に電力を供給する電力供給方法に関する。
【背景技術】
【０００２】
例えば、ワークを誘導加熱する際、加熱コイルから発生する磁束の被処理表面から内部への浸透深度が周波数により異なるため、ワークの熱処理層の厚さに応じて周波数が選択される。熱処理層を厚くするためには低い周波数が用いられ、熱処理層を浅くするためには高い周波数が用いられる。そのため、異なった周波数によりワークを誘導加熱するよう、出力周波数の異なる電源が配置され、各誘導加熱装置に切替器を介在して各電源に接続してシステム構成されたものがある（例えば、特許文献１）。
【先行技術文献】
【特許文献】
【０００３】
【特許文献１】特開昭６０−２４９２８８号公報
【発明の概要】
【発明が解決しようとする課題】
【０００４】
しかしながら、特許文献１のシステムでは、複数の誘導加熱機に対して同一の熱処理用電源から各誘導加熱機に整合をとって電力を供給することができない。
【０００５】
そこで、本発明は、複数の誘導加熱機に対して熱処理用電源から各誘導加熱機に対して整合をとって電力を供給する誘導加熱システム及び電力供給方法を提供することを目的とする。
【課題を解決するための手段】
【０００６】
上記目的を達成するために、本発明の誘導加熱システムの第１のコンセプトは、
熱処理用電源と、
熱処理用電源に接続された整合器と、
電流変成器と該電流変成器の二次巻線に接続された加熱コイルとを備えた複数の誘導加熱機と、
複数の誘導加熱機のそれぞれの電流変成器の一次巻線に接続された切替器と、
複数の誘導加熱機のそれぞれに接続された切替器と整合器とを接続する給電路と、
複数の誘導加熱機のそれぞれに接続された切替器の切替器のＯＮ／ＯＦＦを制御する切替制御部と、
を備える。
【０００７】
上記構成において、好ましくは、切替器と電流変成器との間に調整用コンデンサが直列又は並列に接続されている。
上記構成において、好ましくは、整合器がマッチングトランスと固定コンデンサとで構成され、切替器毎に、切替器と電流変成器の一次巻線との間に調整用コンデンサが接続されている。
上記構成において、好ましくは、複数の誘導加熱機のうち任意の複数の電流変成器と整合器との間のインダクタンスを同一の範囲となるようにする。
【０００８】
上記目的を達成するために、本発明の誘導加熱システムの第２のコンセプトは、
一方の周波数を出力する第１熱処理用電源と、
他方の周波数を出力する第２熱処理用電源と、
第１熱処理用電源に接続された第１整合器と、
第２熱処理用電源に接続された第２整合器と、
第１電流変成器及び第２電流変成器の各二次巻線が加熱コイルに接続されて構成された複数の誘導加熱機と、
複数の誘導加熱機のそれぞれの第１電流変成器の一次巻線に接続された第１切替器と、
複数の誘導加熱機のそれぞれの第２電流変成器の一次巻線に接続された第２切替器と、
複数の誘導加熱機のそれぞれに接続された第１切替器と第１整合器とを接続する第１給電路と、
複数の誘導加熱機のそれぞれに接続された第２切替器と第２整合器とを接続する第２給電路と、
複数の誘導加熱機のそれぞれに接続された第１切替器及び複数の誘導加熱機のそれぞれに接続された第２切替器のＯＮ／ＯＦＦを制御する切替制御部と、
を備える。
【０００９】
上記構成において、好ましくは、第１切替器と第１電流変成器との間には第１調整用コンデンサが直列又は並列に接続されているか、又は、第２切替器と第２電流変成器との間には第２調整用コンデンサが直列又は並列に接続されている。
上記構成において、好ましくは、第１整合器がマッチングトランスと固定コンデンサとで構成され、第１切替器毎に又は第２切替器毎に、当該切替器と前記電流変成器の一次巻線との間に調整用コンデンサが接続されている。
上記構成において、好ましくは、複数の誘導加熱機における任意の複数の第１電流変成器と第１整合器との間のインダクタンスが同一の範囲となるようにし、複数の誘導加熱機における任意の複数の第２電流変成器と第２整合器との間のインダクタンスが同一の範囲となるようになっている。
上記構成において、好ましくは、第１熱処理用電源の周波数が第２熱処理用電源の周波数よりも低く、第１整合器が低周波用整合器であり、第１切替器毎に当該切替器と第１電流変成器の一次巻線との間に整合コンデンサが備えられ、第２整合器が高周波用整合器と誘導加熱機に共通の整合コンデンサを備え、第２電流変成器が空芯である。
【００１０】
上記目的を達成するために、本発明の電力供給方法は、
熱処理用電源から整合器を経由して複数の誘導加熱機に対して電力を供給するに当たり、
複数の誘導加熱機のうち任意の一台の誘導加熱機を熱処理用電源に接続することにより、整合器におけるマッチングトランスの二次巻線と任意の一台の誘導加熱機における電流変成器の一次巻線との間においてループ回路を形成し、
ループ回路の共振周波数が上記熱処理用電源の動作周波数の範囲となるように、マッチングトランスと電流変成器との間の給電路のインダクタンス又はループ回路でのキャパシタンスを調整した後に、任意の一台の誘導加熱機に熱処理用電源から電力を供給する。
【発明の効果】
【００１１】
本発明によれば、複数の誘導加熱機のうち一台の誘導加熱機に接続した切替器をＯＦＦ状態からＯＮ状態にすることにより、熱処理用電源から整合器を経由してこの一台の誘導加熱機に対して整合器で整合して電力を供給することができる。
【図面の簡単な説明】
【００１２】
【図１】本発明の第１実施形態に係る誘導加熱システムの構成図である。
【図２】本発明の第２実施形態に係る誘導加熱システムの構成図である。
【図３】図２における複数の切替器の一つをＯＮ状態にしたときの回路の要部を示す図である。
【図４】本発明の第３実施形態に係る誘導加熱システムを構成する各誘導加熱機の配置を模式的に示し、（ａ）は整合器から各誘導加熱機に接続した切替器までの給電路を個別にした場合を、（ｂ）は整合器から各誘導加熱機に接続した切替器までの給電路について共通部を備えるようにした場合を示す図である。
【図５】本発明の第４実施形態に係る誘導加熱システムの構成図である。
【図６】（ａ）及び（ｂ）は、図５における複数の切替器の一つをＯＮ状態にしたときの回路構成の例をそれぞれ示す図である。
【図７】本発明の第５実施形態に係る誘導加熱システムの構成図である。
【図８】図７における複数の切替器の一つをＯＮ状態にしたときの回路構成の例を示す図である。
【図９】本発明の第６実施形態に係る誘導加熱システムの構成図である。
【図１０】本発明の第９実施形態に係る誘導加熱システムの構成図である。
【図１１】本発明の第１０実施形態に係る誘導加熱システムの構成図である。
【発明を実施するための形態】
【００１３】
以下、図面を参照しながら、本発明の幾つかの実施形態を詳細に説明する。
【００１４】
〔第１実施形態〕
図１は、本発明の第１実施形態に係る誘導加熱システムの構成図である。第１実施形態に係る誘導加熱システム１０は、熱処理用電源１１と、整合器１２と、複数の誘導加熱機１３と、切替器１４と、給電路１５と、切替制御部１６とで構成される。
【００１５】
熱処理用電源１１は、交流を直流に変換する順変換部と、直流を平滑化する平滑部と、平滑化した直流を所定の周波数でＯＮ／ＯＦＦする逆変換部とを備える。なお、熱処理用電源１１は電源制御部１１ａを備え、各誘導加熱機１３からの出力指令を受けて順変換部及び逆変換部を制御する。
【００１６】
整合器１２は熱処理用電源１１に接続されており、整合器１２はマッチングトランス１２ａを備え、このマッチングトランス１２ａは一次巻線と二次巻線とを備え、一次巻線には切替用の複数のタップが設けられている。タップを切り替えることにより、一次巻線の巻数を変化させる。これにより、マッチングトランスの二次側電圧を変換することができ、熱処理用電源１１の負荷インピーダンスを調整することができる。
【００１７】
各誘導加熱機１３は、トランスにより構成された電流変成器１３ａと、電流変成器１３ａの二次巻線に接続された加熱コイル１３ｂとを備えている。電流変成器はＣＴＲ（Current Transformer）とも呼ばれる。また、各誘導加熱機１３は、切替指令部１３ｃと出力指令部１３ｄとを備えており、切替指令部１３ｃから切替制御部１６に当該誘導加熱機１３に接続された切替器１４をＯＦＦ状態からＯＮ状態にする指令を出す。また、出力指令部１３ｄは、熱処理用電源１１に備わる電源制御部１１ａに対して電力供給の指令をする。
【００１８】
切替器１４は、入力端が給電路１５に接続されており、各誘導加熱機１３の電流変成器１３ａの一次巻線に接続されている。
【００１９】
給電路１５は、整合器１２と各誘導加熱機１３とを接続しており、各誘導加熱機１３に至るまでの間で各誘導加熱機１３に共通する共通部１５ａと、誘導加熱機毎に設けられる個別部１５ｂとに分けられる。図１に示す形態では、共通部１５ａと個別部１５ｂの二種類に分類されるところ、共通部１５ａは必ずしも設けなくてもよい。
【００２０】
切替制御部１６は、各誘導加熱機１３の切替指令部１３ｃから切替指令を受け、当該誘導加熱機１３に接続されている切替器１４をＯＦＦ状態からＯＮ状態に切り替え、熱処理用電源１１から当該誘導加熱機１３に対して電力を供給することができる。切替制御部１６は、或る誘導加熱機１３から切替要求を受けて、同一又は別の誘導加熱機１３の切替指令部１３ｃから次の切替要求を受けるまでは、或る誘導加熱機１３の切替器１４をＯＮ状態のままとする。そして、切替制御部１６は、次の切替要求を受けることを契機として、或る誘導加熱機１３の切替器１４をＯＦＦ状態に切り替えると共に、その切替要求を発した誘導加熱機１３の切替器１４をＯＮ状態に切り替える。このように切替制御部２６は一つの切替器１４のみをＯＮ状態に遷移させる。
【００２１】
本発明の第１実施形態では、一台の熱処理用電源１１に整合器１２が接続され、この整合器１２に対して給電路１５を経由して各切替器１４が接続され、各切替器１４に誘導加熱機１３が接続されている。よって、切替制御部１６により何れか一台の切替器１４をＯＦＦ状態からＯＮ状態にすることにより、整合器１２によって整合がとれた状態で一台の熱処理用電源１１から誘導加熱機１３に電力を供給することができる。
【００２２】
〔第２実施形態〕
図２は、本発明の第２実施形態に係る誘導加熱システムの構成図である。第２実施形態に係る誘導加熱システム２０は、熱処理用電源２１と、整合器２２と、複数の誘導加熱機２３と、切替器２４と、給電路２５と、切替制御部２６と、で構成される。図３は、図２における複数の切替器２４の一つをＯＮ状態にしたときの回路の要部を示す図である。第２実施形態は、熱処理用電源２１が電圧形であり、整合器２２中のマッチングトランス２２ａと電流変成器２３ａとの間のループ回路が直列共振回路を構成する場合を説明する。
【００２３】
熱処理用電源２１は、第１実施形態と同様、交流を直流に変換する順変換部と、直流を平滑化する平滑部と、平滑化した直流を所定の周波数でＯＮ／ＯＦＦする逆変換部とを備える。また、熱処理用電源２１は電源制御部２１ａを備え、各誘導加熱機２３の出力指令部２３ｄからの出力指令を受けて順変換部及び逆変換部を制御する。第２実施形態では、熱処理用電源２１が電圧形であるので、平滑部が平滑コンデンサを有しており、この平滑コンデンサを電圧源として逆変換部へ給電する。
【００２４】
整合器２２は熱処理用電源２１に接続されており、整合器２２はマッチングトランス２２ａと整合コンデンサ２２ｂを備える。マッチングトランス２２ａは、第１実施形態同様、一次巻線と二次巻線とを備える。整合コンデンサ２２ｂは、マッチングトランス２２ａの二次巻線と出力端との間に二次巻線に直列に接続される。整合コンデンサ２２ｂは、図３に示すように、マッチングトランス２２ａの二次巻線の一端と整合器２２の一方の出力端の間と、その二次巻線の他端と整合器２２の他方の出力端との間とに、同じ容量に分けて二次巻線に直列にそれぞれ接続されてもよい。
【００２５】
各誘導加熱機２３は、電流変成器２３ａと、電流変成器２３ａの二次巻線に接続された加熱コイル２３ｂとを備えている。電流変成器２３ａはトランスにより構成されている。
各誘導加熱機２３は、第１実施形態と同様、切替指令部２３ｃ及び出力指令部２３ｄを備える。
【００２６】
切替器２４は、入力端が給電路２５に接続されており、各誘導加熱機２３の電流変成器２３ａの一次巻線に接続されている。
【００２７】
給電路２５は、整合器２２と各誘導加熱機２３とを接続しており、各誘導加熱機２３に至るまでの間で各誘導加熱機１３に共通する共通部２５ａと、誘導加熱機毎に設けられる個別部２５ｂとに分けられる。図２に示す形態では、共通部２５ａと個別部２５ｂの二種類に分類されるが、共通部２５ａは必ずしも設けなくてもよい。
【００２８】
切替制御部２６は、各誘導加熱機２３の切替指令部２３ｃから切替指令を受け、当該誘導加熱機２３に接続されている切替器２４をＯＦＦ状態からＯＮ状態に切り替え、出力指令部２３ｄからの出力指令に応じて熱処理用電源２１から当該誘導加熱機２３に対して電力を供給する。このように切替制御部２６は、一つの切替器２４のみＯＮ状態に遷移させる。なお、切替制御部２６のその他の機能、動作等については第１実施形態と同一であるので説明を省略する。
【００２９】
本発明の第２実施形態では、一台の熱処理用電源２１に整合器２２が接続され、この整合器２２に対して給電路２５を経由して各切替器２４が接続され、各切替器２４に誘導加熱機２３が接続されている。そのとき、マッチングトランス２２ａの二次巻線と、整合コンデンサ２２ｂと、給電路２５と、切替器２４と、電流変成器２３ａの一次巻線とでループ回路が構成され、このループ回路の共振周波数が熱処理用電源２１の動作周波数の範囲内となるように、整合コンデンサ２２ｂが調整される。よって、切替制御部２６により何れか一台の切替器２４をＯＦＦ状態からＯＮ状態にすることにより、整合器２２で整合をとって一台の熱処理用電源２１から誘導加熱機２３に電力を供給することができる。
【００３０】
〔第３実施形態〕
第３実施形態は、第２実施形態を改良した実施形態である。いま、複数の誘導加熱機２３を用いて同一ワークに同じように熱処理を施すことを考える。すると、複数の誘導加熱機２３のうち、熱処理用電源２１と第１誘導加熱機２３−１との間、熱処理用電源２１と第２誘導加熱機２３−２との間で、整合をとる必要がある。例えば、整合器２２と第１誘導加熱機２３−１の電流変成器２３ａまでのインダクタンス及びコンダクタンスと、整合器２２と第２誘導加熱機２３−２の電流変成器２３ａまでのインダクタンス及びキャパシタンスとがそれぞれ同一の範囲であれば、整合器２２のマッチングトランス２２ａ及び整合コンデンサ２２ｂ並びに電流変成器２３ａについて同一の調整をとることにより、第１誘導加熱機２３−１の切替器２４をＯＮ状態にしても、第２誘導加熱機２３−２の切替器２４をＯＮ状態にしても、整合をとることができる。
【００３１】
つまり、図２に示すように、例えば、整合器２２の出力端と第１誘導加熱機２３−１の電流変成器２３ａの一次巻線との間の距離と、整合器２２の出力端と第２誘導加熱機２３−２の電流変成器２３ａの一次巻線との間の距離と、が同一の範囲であって、整合器２２の出力端と第１及び第２誘導加熱機２３−１，２３−２に接続された各切替器２４とを接続する給電用ブスバーの幅及び給電用ブスバーの間隔が等しければよい。なお、「同一の範囲」とは整合条件に影響を及ぼさない範囲を意味し、「等しい」とは整合条件に影響を及ぼさない程度も含む語句として用いている。
【００３２】
さらに、誘導加熱システム２０が３機以上の誘導加熱機２３を備える場合、図２に示すように４機備える場合であっても、整合器２２と各切替器２４との距離が同一の範囲内となるよう、各誘導加熱機２３−１乃至２３−４の配置を調整する。
【００３３】
図４は、第３実施形態における誘導加熱システム３０における各誘導加熱機２３の配置を模式的に示し、図４（ａ）は整合器２２から各誘導加熱機２３に接続した切替器２４までの給電路を個別にした場合を、図４（ｂ）は整合器２２から各誘導加熱機２３に接続した切替器２４までの給電路について共通部を備えるようにした場合を示す図である。
【００３４】
図４（ａ）に示すように、整合器２２を中心として同心円状に各切替器２４を配置し、さらにその延長上に各誘導加熱機２３（２３−１乃至２３−４）を配置する。また、図４（ｂ）に示すように、整合器２２から給電路２５のうち共通部２５ａを延ばして、その先端で両側に分岐するように各第１支部２５ｂを設け、各第１支部２５ｂの先端でさらに両側に分岐する第２支部２５ｃをそれぞれ設け、第２支部２５ｃに各切替器２４を設け、その延長上に各誘導加熱機２３を設ける。これらにより、整合器２２から各切替器２４までの給電路２５の長さを等しくすることができ、給電路２５を構成するブスバーの対の間隔及び幅を等しくすれば、整合器２２と各切替器２４までの給電路のインダクタンスが等しくなる。
【００３５】
図２に示す左右対にある第１誘導加熱機２３−１，第２誘導加熱機２３−２は整合器２２からみて負荷が等しくなり、図４（ａ）及び（ｂ）に示すように、整合器２２から各誘導加熱機２３までの給電路２５の長さと、給電路２５を構成するブスバーの対の間隔及び各ブスバーの幅を等しくすることで、整合器２２から各誘導加熱機２３の負荷が等しくなる。よって、各誘導加熱機２３のうち一台の誘導加熱機２３について熱処理の条件出しをすることにより、別の誘導加熱機２３を用いても熱処理の条件出しをすることなく同一の条件で熱処理をすれば、誘導加熱による熱処理の品質を均一にすることができる。
【００３６】
〔第４実施形態〕
第４実施形態は第３実施形態を改良した形態である。第３実施形態では、図２に示すように、第１誘導加熱機２３−１と整合器２２との距離が第２誘導加熱機２３−２と整合器２２との距離と同一の範囲となるように、第１及び第２誘導加熱機２３−１，２３−２を配置することができ、第３誘導加熱機２３−３と整合器２２との距離が第４誘導加熱機２３−４と整合器２２との距離と同一の範囲となるように、第３及び第４誘導加熱機２３−３，２３−４を配置することはできる。しかしながら、第１誘導加熱機２３−１と整合器２２との距離が第３誘導加熱機２３−３と整合器２２との距離と等しくなるように、第１乃至第４誘導加熱機２３−１乃至２３−４を配置することはできない。図２に示す形態では、第１誘導加熱機２３−１に給電する給電路の一部を分岐して延ばして第３誘導加熱機２３−３に給電し、第２誘導加熱機２３−２に給電する給電路の一部を分岐して延ばして第４誘導加熱機２３−４に給電しているからである。この場合には、第１誘導加熱機２３−１及び第２誘導加熱機２３−２の給電路２５の各支部２５ｂを構成するブスバーの幅を、第３誘導加熱機２３−３及び第４誘導加熱機２３−４の給電路２５の各支部２５ｂを構成するブスバーの幅よりも狭くする。一方、第１誘導加熱機２３−１及び第２誘導加熱機２３−２の給電路２５の各支部２５ｂを構成するブスバーの間隔を、第３誘導加熱機２３−３及び第４誘導加熱機２３−４の給電路２５の各支部２５ｂを構成するブスバーの間隔よりも広くする。これにより、各誘導加熱機２３での支部２５ｂ毎のインダクタンスを同一の範囲になるようにすることができる。しかしながら、ブスバーの間隔や幅を調整することができないような場合もあるので、第１誘導加熱機２３−１乃至第４誘導加熱機２３−４を用いて同一ワークに同一の熱処理を施すことが難しい。
【００３７】
また、第１誘導加熱機２３−１と第３誘導加熱機２３−３とでは給電路が長いことから、第１誘導加熱機２３−１までの給電路２５のインダクタンスと比べて第３誘導加熱機２３−３までの給電路２５のインダクタンスは大きくなる。よって、共振周波数が低くなる。第１誘導加熱機２３−１を用いてワークを誘導加熱した条件と同じで、第３誘導加熱機２３−３を用いて同一ワークを誘導加熱しようとしても、共振周波数が低くなるため、熱処理の品質が変わってしまう。このことは、第３誘導加熱機２３−３を用いてワークを誘導加熱した条件と同じで、第１誘導加熱機２３−１を用いて同一ワークを誘導加熱しようとしても、共振周波数が高くなるため、熱処理の品質が変わってしまう。
【００３８】
そこで、第４実施形態では、整合器と各誘導加熱機に接続した切替器までの距離の長さの違いを解消するために、切替器と電流変成器の一次巻線の間に調整用コンデンサを一次巻線に直列接続する。整合器と各誘導加熱機に接続した切替器との距離に依存するインダクタンスの差を、調整用コンデンサで調整する。ここで、「調整用コンデンサ」とは、所謂可変コンデンサとは異なり、タップ等で接続を切り替えるため離散的にしか容量を調整することができないようなコンデンサを意味する。
【００３９】
一般に、コイルＬ及びコンデンサＣの共振回路では、共振周波数をｆとすると、ｆ＝１／２π√（ＬＣ）の関係がある。よって、給電路２５のＬの増減を整合用コンデンサＣの増減によって調整することができる。
【００４０】
図５は、本発明の第４実施形態に係る誘導加熱システム４０の構成図である。本発明の第４実施形態に係る誘導加熱システム４０は、熱処理用電源４１と、整合器４２と、複数の誘導加熱機４３と、切替器４４と、給電路４５と、切替制御部４６と、調整用コンデンサ４７とで構成される。図６（ａ）及び（ｂ）は、図５における複数の切替器４４の一つをＯＮ状態にしたときの回路構成の例をそれぞれ示す図である。
【００４１】
誘導加熱システム４０における熱処理用電源４１、各誘導加熱機４３、切替器４４、給電路４５及び切替制御部４６については、図２に示す熱処理用電源２１、各誘導加熱機２３、切替器２４、給電路２５及び切替制御部２６の各コンポーネントと略同じである。整合器４２は少なくともマッチングトランス４２ａを備える。誘導加熱機４３毎に、電流変成器４３ａと加熱コイル４３ｂを備え、電流変成器４３ａの二次巻線に加熱コイル４３ｂが接続されている。
【００４２】
第４実施形態では、切替器４４と電流変成器４３ａの一次巻線との間に一次巻線に直列に調整用コンデンサ４７を備える。調整用コンデンサ４７は、図６（ａ）及び（ｂ）に示すように切替器４４と電流変成器４３ａの一次巻線との間の２本の給電路にそれぞれ設けてもよいし、図示しないように一方の給電路にのみ設けてもよい。ここで、図６（ａ）に示すように、整合器４２にコンデンサを設けず調整用コンデンサ４７のみで整合をとってもよい。また、図６（ｂ）に示すように、整合器４２内のマッチングトランス４２ａの二次巻線に直列接続したコンデンサ４２ｂと、電流変成器４３ａの一次巻線に直列接続した調整用コンデンサ４７とを用いて整合をとってもよい。コンデンサ４２ｂは固定コンデンサでも調整用コンデンサでもよい。
【００４３】
図６（ａ）及び（ｂ）に示すように、マッチングトランス４２ａの二次巻線と、給電路４５と、切替器４４を経由して接続される調整用コンデンサ４７と、電流変成器４３ａの一次巻線と、で構成されるループ回路において、必要に応じて、マッチングトランス４２ａの二次巻線に直列にコンデンサを追加することにより、このループ回路の共振周波数を熱処理用電源４１の動作周波数の範囲内に合わせて整合をとることができる。
【００４４】
各誘導加熱機４３に対して整合器４２が共通に設けられ、電流変成器４３ａと切替器４４との間に直列に調整用コンデンサ４７が設けられる。これにより、誘導加熱機４３毎に、調整用コンデンサ４７を調整することで、熱処理用電源４１の動作周波数の範囲の上限値を上回ったり下限値を下回ったりしないで、熱処理用電源４１の動作周波数の範囲内に合わせることができる。調整用コンデンサ４７のみでは、負荷インピーダンスを正確に調整することができないので、整合器４２内のマッチングトランス４２ａを自動切替機構（図示せず）にて切替え巻数比を調整することにより、整合器４２が誘導加熱機によらず共通であっても、誘導加熱機４３毎に熱処理用電源４１から見た負荷インピーダンスが等しくなるようにすることができ、特定の複数の誘導加熱機４３の何れを用いても同一のワークを同一の仕様下で誘導加熱することができる。
【００４５】
ところで、電流変成器４３ａが誘導加熱機４３毎に設けられ、電流変成器４３ａが鉄芯を備えたトランスである場合には、誘導加熱機４３毎に鉄芯のトランスの巻数比を変更することで、共振周波数を熱処理用電源４１の動作周波数の範囲内に調整することも考えられる。しかし、電流変成器４３ａの巻数比を変更することで、熱処理用電源４１から見た負荷インピーダンスが変化することになる。これに対し、本発明の第４実施形態では、負荷インピーダンスを変化させないで、調整用コンデンサ４７やコンデンサ４２ｂを調整することにより、共振周波数を調整する。
【００４６】
一方、電流変成器４３ａが誘導加熱機４３毎に設けられ、電流変成器４３ａが鉄芯を備えていない、所謂空芯のトランスである場合には、誘導加熱システム４０が熱処理として利用されることを想定すると、数千Ｖ以上の高電圧で使用することになる。そのため、電流変成器４３ａの巻数比を変更することは通常難しい。なぜなら、電流変成器４３ａの一次巻線のタップで連結していない巻数の多い端子部分と二次巻線との間で放電が生じるおそれがあるからである。これに対し、本発明の第４実施形態では、電流変成器４３ａのタップの切替をできるだけ用いなくても、調整用コンデンサ４７の調整により、共振周波数の調整ができる。
【００４７】
整合器４２と電流変成器４３ａとの間の回路が直列共振の場合、整合器４２に調整可能な整合コンデンサを設けないことにより、次のような利点がある。
利点その１：整合器４２において、整合コンデンサ４２ｂを各誘導加熱機１３で共通して使用する場合には、整合コンデンサ４２ｂのタップを切替器などで接続したり切り離したりすることで、容量を自動調整しなければならない。そのため、大電流や高電圧に耐える切替器が必要になる。それにより、寸法の大きい又は高コストの切替機構が必要となる。しかしながら、図６（ａ）のように整合器４２に整合コンデンサ４２ｂがない場合、または、図６（ｂ）のように、整合コンデンサ４２ｂが固定コンデンサである場合には、整合コンデンサ４２ｂのコンデンサ量を変更する必要がないため、整合器４２内の整合コンデンサ４２ｂにタップを設けなくてもよく、タップを切り替えるための機構を設けなくてもよい。
利点その２：全てのコンデンサを各誘導加熱機に設置すると多くのコンデンサが必要となるので、固定コンデンサを各誘導加熱機共通で使用し、各誘導加熱機には調整用コンデンサを設置することにより、容量を低減できる場合がある。
【００４８】
誘導加熱機４３毎に調整用コンデンサ４７を設けていることにより、次の利点がある。
利点その１：整合器４２から各誘導加熱機４３の電流変成器４３ａまでの距離が誘導加熱機４３毎に異なっていても、共振周波数を熱処理用電源４１の動作周波数の範囲内に調整することができる。
利点その２：給電路４５を構成するブスバーの対の間の電圧が数百Ｖ程度に低い電圧の状態で、調整用コンデンサ４７までの電圧を低く抑えられる。よって、給電路４５の一部を構成するブスバーの対を絶縁するためにブスバーの間隔を広くする必要がなく、システム全体をコンパクト化することができ、給電路４５の一部を構成する水冷ケーブルの間隔を広くする必要がない。これにより、給電路４５のインダクタンスを小さくすることができる。よって、給電路４５での電圧降下が小さくなり、調整用コンデンサ４７に印加される電圧も低くなり、定格電圧の低い調整用コンデンサ４７を用いることができ、皮相電力（VA）が小さくてよい。高電圧仕様の水冷ケーブルを用いる必要がない。調整用コンデンサ４７は複雑な切替機構でなくタップで簡単に容量を切り替えることができる。
【００４９】
第２乃至第４実施形態では、熱処理用電源が電圧形であり、整合器から電流変成器のループ回路が直流共振形の場合を説明した。例えば図５の形態では、熱処理用電源４１から整合器４２を経由して複数の誘導加熱機４３に対して電力を供給する際、複数の誘導加熱機４３のうち、例えば第１誘導加熱機４３−１に接続した切替器４４をＯＮ状態にすることにより、第１誘導加熱機４３−１を熱処理用電源４１に接続する。これにより、整合器４２におけるマッチングトランスの二次巻線と第１誘導加熱機４３−１における電流変成器４３ａの一次巻線との間においてループ回路を形成する。このループ回路の共振周波数が熱処理用電源４１の動作周波数の範囲内となるように、マッチングトランスと電流変成器４３ａとの間の給電路４５のインダクタンス又はループ回路でのキャパシタンスが調整され又は調整されていることにより、第１誘導加熱機４３−１に整合をとって電力を供給することができる。他の形態であっても同様である。
【００５０】
〔第５実施形態〕
第５実施形態では、熱処理用電源が電流形であり、各誘導加熱機において電流変成器に並列に整合コンデンサとして調整用コンデンサを接続した場合を説明する。この形態では、第２乃至第４実施形態を変更して適用することができる。
【００５１】
図７は、本発明の第５実施形態に係る誘導加熱システムの構成図である。第５実施形態に係る誘導加熱システム５０は、第１実施形態と同様、熱処理用電源５１と、整合器５２と、複数の誘導加熱機５３と、切替器５４と、給電路５５と、切替制御部５６と、で構成される。図８は、図７における複数の切替器５４の一つをＯＮ状態にしたときの回路構成の例を示す図である。
【００５２】
本発明の第５実施形態に係る誘導加熱システム５０では、マッチングトランス５２ａが整合器５２に備えられる一方、整合コンデンサとなる調整用コンデンサ５７は、電流変成器の一次巻線に並列に接続され、一次巻線と調整用コンデンサ５７とでループ回路を構成している。このループ回路中に固定コンデンサを備えていても構わない。この電流形の場合には、ループ回路が給電路５５を用いて形成されないため、給電路５５の長さ、つまり、マッチングトランス５２ａと電流変成器５３ａとの距離によるインダクタンスの誘導加熱機毎の違いが共振周波数に影響しない。
【００５３】
電流変成器５３ａの一次巻線のタップの切替と調整用コンデンサ５７の調整により、共振周波数を熱処理用電源５１の動作周波数の範囲内に合わせることができる。なお、調整用コンデンサ５７は、図７に示すように誘導加熱機５３内に設けても、或いは誘導加熱機５３外に設けてもよい。この点は第４実施形態でも同様である。
【００５４】
第２実施形態及び第３実施形態では、誘導加熱システム２０，３０の誘導加熱機２３，３３が複数備えられることにより、同一のワークに同一の熱処理を施す場合を想定して説明しているが、第４及び第５実施形態であっても、誘導加熱システム４０，５０の調整用コンデンサを調整すれば、同一のワークに同一の熱処理を施すことができる。また、第２実施形態、第３実施形態及び第４実施形態では、各誘導加熱機１３，２３，４３ａ毎に電流変成器１３ａ，２３ａ，４３ａが配備されているので、電流変成器１３ａ，２３ａ，４３ａと調整コンデンサ２２ｂ，４２ｂとの双方により周波数を調整することもできる。よって各誘導加熱機毎にワークの熱処理の仕様を設定することもできる。
【００５５】
第１実施形態乃至第５実施形態では、一つの熱処理用電源から単一の周波数を出力して、加熱コイルに供給していたが、異なる周波数を時間的に切り替えて加熱コイルに供給しても、又は異なる周波数を重畳して加熱コイルに供給してもよい。
【００５６】
〔第６実施形態〕
図９は、本発明の第６実施形態に係る誘導加熱システム６０の構成図である。図９に示すように、単一の電源系として、一方の周波数を出力する第１熱処理用電源６１Ａと他方の周波数を出力する第２熱処理用電源６１Ｂとが備えられている。第１熱処理用電源６１Ａには一方の周波数用の整合器（以下、「第１整合器」と呼ぶ。）６２Ａが接続され、第２熱処理用電源６１Ｂには他方の周波周用の整合器（以下、「第２整合器」と呼ぶ）６２Ｂが接続され、第１整合器６２Ａから第１給電路６５Ａを経由して誘導加熱機６３毎の第１切替器６４Ａの入力端に接続され、第２整合器６２Ｂから第２給電路６５Ｂを経由して誘導加熱機６３毎の第２切替器６４Ｂの入力端に接続されている。第１切替器６４Ａの出力端には第１電流変成器６３Ａの一次巻線が接続され、第２切替器６４Ｂの出力端には第２電流変成器６３Ｂの一次巻線が接続されている。各誘導加熱機６３には、加熱コイル６３Ｃに対し、第１電流変成器６３Ａ及び第２電流変成器６３Ｂの二次巻線が並列接続されている。ここで、第１電流変成器６３Ａと加熱コイル６３Ｃとの間には所定のフィルタが介在されており、その所定のフィルタによって、第１電流変成器６３Ａから流入する一方の周波数を通すと共に、第２電流変成器６３Ｂから加熱コイル６３Ｃに流れる他方の周波数の分流を減衰することができる。第２電流変成器６３Ｂと加熱コイル６３Ｃとの間には所定のフィルタが介在しており、その所定のフィルタによって、第２電流変成器６３Ｂから流入する他方の周波数を通すと共に、第１電流変成器６３Ａから加熱コイル６３Ｃに流れる一方の周波数の分流を減衰することができる。これらのフィルタについては図９では省略している。
【００５７】
切替制御部６６が、複数の誘導加熱機６３のそれぞれに接続された第１切替器６４Ａと、複数の誘導加熱機６３のそれぞれに接続された第２切替器６４Ｂと、をＯＮ／ＯＦＦ制御する。ここで、或る誘導加熱機６３の第１切替器６４Ａ及び第２切替器６４Ｂは連動してＯＮ／ＯＦＦ制御してもよいし、或る誘導加熱機６３の第１切替器６４Ａと同じ誘導加熱機６３の第２切替器６４Ｂとは独立にＯＮ／ＯＦＦ制御してもよい。つまり、第１熱処理用電源６１Ａ及び第２熱処理用電源６１Ｂは同一の一台の誘導加熱機６３に電力の供給をしてもよいし、第１熱処理用電源６１Ａは或る一台の誘導加熱機６３に電力の供給をすると同時に又は前後して第２熱処理用電源６１Ｂは別の一台の誘導加熱機６３に電力の供給をするようにしてもよい。
【００５８】
誘導加熱機６３の第１切替器６４Ａと第２切替器６４ＢをＯＮ状態にして、当該誘導加熱機６３に対して第１熱処理用電源６１Ａ及び第２熱処理用電源６１Ｂから各周波数の電力が同時に供給されると、第１及び第２電流変成器６３Ａ，６３Ｂの二次巻線が接続されているので、各周波数の電力が重畳して、加熱コイル６３Ｃに電力を投入することができる。
【００５９】
一方、誘導加熱機６３の第１切替器６４Ａと第２切替器６４ＢをＯＮ状態にして、当該誘導加熱機６３に対して第１熱処理用電源６１Ａ及び第２熱処理用電源６１Ｂから各周波数の電力が時間間隔をおいて例えば交互に供給されると、加熱コイル６３Ｃには一方の周波数の電力が供給される状態と、他方の周波数の電力が供給される状態とを切り替えることができる。一方の周波数と他方の周波数の電力比、時間比等により、一方の周波数と他方の周波数との間の任意の周波数の電力を供給したのと同等の効果を得ることができる。
【００６０】
このような二周波を各誘導加熱機６３に供給する際においても、各熱処理用電源６１Ａ，６１Ｂ毎に整合器６２Ａ，６２Ｂによって整合がとれた状態で、各熱処理用電源６１Ａ，６１Ｂから誘導加熱機６３に電力を供給することができる。
【００６１】
〔第７実施形態〕
第7実施形態は第６実施形態を改良したものであり、図９を参照して説明すると、第１及び第２熱処理用電源６１Ａ，６１Ｂが電圧形であり、第１整合器６２Ａ及び第２整合器６２Ｂがマッチングトランスに対して整合コンデンサを直列に接続して構成されている。この場合には、第１整合器６２Ａと第１電流変成器６３Ａとの間で、第１給電路６５Ａを経由してループ回路が構成される。よって、整合コンデンサを調整することにより、第１熱処理用電源６１Ａから誘導加熱機６３に整合をとって供給することができる。また、第２整合器６２Ｂと第２電流変成器６３Ｂとの間で、第２給電路６５Ｂを経由してループ回路が構成される。よって、整合コンデンサを調整することにより、第２熱処理用電源６１Ｂから誘導加熱機６３に整合をとって供給することができる。
【００６２】
〔第８実施形態〕
第８実施形態は第６実施形態を改良したものであり、図９を参照して説明すると、第１整合器６２Ａにおけるマッチングトランスと第１電流変成器６３Ａとの距離、第２整合器６２Ｂにおけるマッチングトランスと第２電流変成器６３Ｂとの距離が、誘導加熱機６３に依らず同一の範囲になるようにする。すると、複数の誘導加熱機６３における任意の複数の第１電流変成器６４Ａと第１整合器６２Ａとの間のインダクタンスが同一の範囲となり、複数の誘導加熱機６３における任意の複数の第２電流変成器６３Ｂと第２整合器６４Ｂとの間のインダクタンスが同一の範囲となる。これにより、誘導加熱機６３毎に誘導加熱の条件出しをしないで、一機の誘導加熱機６３だけで条件出しをすれば、何れの誘導加熱機６３を用いても同一のワークを同様に誘導加熱することができる。
【００６３】
〔第９実施形態〕
図１０は、本発明の第９実施形態に係る誘導加熱システム７０の構成図である。図１０において図９と同じ構成については同一の符号を付している。第９実施形態では、第１調整用コンデンサ６７Ａが第１切替器６４Ａと第１電流変成器６３Ａとの間に直列接続されている。また、第２調整用コンデンサ６７Ｂが第２切替器６４Ｂと第２電流変成器６３Ｂとの間に直列接続されている。
【００６４】
第１熱処理用電源６１Ａ及び第２熱処理用電源６１Ｂが電圧形であって、第１整合器６２Ａ内のマッチングトランスの二次巻線と第１電流変成器６３Ａの一次巻線との間のループ回路，第２整合器６２Ｂ内のマッチングトランスの二次巻線と第２電流変成器６３Ｂの二次巻線との間のループ回路が何れも直列共振形の場合には、第１調整用コンデンサ６７Ａ及び第２調整用コンデンサ６７Ｂをそれぞれ直列接続する。すると、図５及び図６に示した単周波と同様に、第１調整用コンデンサ６７Ａ、第２調整用コンデンサ６７Ｂを調整することにより、第１熱処理用電源６１Ａ、第２熱処理用電源６１Ｂの各動作周波数の範囲内に合わせることができる。また、第１整合器６２Ａ内のマッチングトランス及び第２整合器６２Ｂ内のマッチングトランスのタップを自動切替機構により切り替えて巻数比を調整することで、負荷インピーダンスを調整することによって、特定の複数の誘導加熱機６３の何れを用いても同一のワークを同一の仕様下で誘導加熱することができる。
【００６５】
さらには、第９実施形態では第４実施形態を適宜変更して適用してもよい。例えば、第１整合器６２Ａ、第２整合器６２Ｂにおいて、マッチングトランスに固定コンデンサをマッチングトランスの二次巻線に直列接続し、第１切替器６４Ａ毎に第１切替器６４Ａと第１電流変成器６３Ａとの間に第１調整用コンデンサ６７Ａを第１電流変成器６３Ａの一次巻線に直列接続してもよい。また第２切替器６４Ｂ毎に第２切替器６４Ｂと第２電流変成器６３Ｂとの間に第２調整用コンデンサ６７Ｂを第２電流変成器６３Ｂの一次巻線に直列接続してもよい。第１調整用コンデンサ６７Ａを調整することにより、第１整合器６２Ａのマッチングトランスと第１電流変成器６３Ａとの間で第１給電路６５Ａを経由して形成されるループ回路の共振周波数が、第１熱処理用電源６１Ａの動作周波数の範囲となる。また同様に、第２調整用コンデンサ６７Ｂを調整することにより、第２整合器６２Ｂのマッチングトランスの二次巻線と第２電流変成器６３Ｂの二次巻線との間で第２給電路６５Ｂを経由して形成されるループ回路の共振周波数が、第２熱処理用電源６１Ｂの動作周波数の範囲となる。
【００６６】
〔第１０実施形態〕
図１１は本発明の第１０実施形態に係る誘導加熱システム８０の構成図である。第１０実施形態は、第７実施形態を改良したものであり、第１熱処理用電源６１Ａが低周波電源であり、第２熱処理用電源６１Ｂが高周波電源である。第１熱処理用電源６１Ａと各誘導加熱機６３との間の構成については図９に示すような構成を採用し、第２熱処理用電源６１Ｂと各誘導加熱機６３との間の構成については図１０に示すような構成を採用する。図１１と図９及び図１０とにおいて、同一又は対応するコンポーネントについては同一の符号を付している。
【００６７】
第２電流変成器６３Ｂとして空芯の電流変成器を用いることができ、これにより１つの整合条件で対応できる負荷の範囲が広くなり、高周波側においては、誘導加熱機６３毎によらず共通に第２整合器６２Ｂ内の整合コンデンサを使用しても共振周波数が高周波電源の動作周波数の範囲となる。一方、低周波側においては、誘導加熱機６３毎に第１切替器６４Ａと第１電流変成器（低周波用電流変成器）６３Ａとの間に直列接続した調整用コンデンサを調整することにより、共振周波数が第１熱処理用電源（低周波電源）６１Ａの動作周波数の範囲となる。
【００６８】
このように、各実施形態に係る誘導加熱システムでは、一台又は単一の熱処理用電源から、複数の誘導加熱機の何れか一つに対し整合をとって電力を供給し、その後他の誘導加熱機の一つに対して整合をとって電力を供給することができる。熱処理用電源に接続した整合器中の、マッチングトランスの二次巻線と電流変成器の一次巻線との間のループ回路中に調整用コンデンサを直列接続し、又は電流変成器の一次巻線に対して調整用コンデンサを並列接続することで、調整用コンデンサと電流変成器で共振周波数のチューニングをすることができる。さらに、誘導加熱機毎に給電路の長さを調整するようにして共振周波数のチューニングをとることもできる。
【符号の説明】
【００６９】
１０，２０，３０，４０，５０，６０，７０，８０：誘導加熱システム
１１，２１，４１，５１：熱処理用電源
１１ａ，２１ａ，４１ａ，５１ａ：電源制御部
１２，２２，４２，５２：整合器
１２ａ，２２ａ，４２ａ：マッチングトランス
２２ｂ：整合コンデンサ
４２ｂ：固定コンデンサ
１３，２３，４３，５３：誘導加熱機
２３−１，４３−１：第１誘導加熱機
２３−２，４３−２：第２誘導加熱機
２３−３，４３−３：第３誘導加熱機
２３−４，４３−４：第４誘導加熱機
１３ａ，２３ａ，４３ａ，５３ａ：電流変成器
１３ｂ，２３ｂ，４３ｂ，５３ｂ：加熱コイル
１３ｃ，２３ｃ、４３ｃ，５３ｃ：切替指令部
１３ｄ，２３ｄ，４３ｄ，５３ｄ：出力指令部
１４，２４，４４，５４：切替器
１５，２５，４５：給電路
１５ａ，２５ａ：共通部
１５ｂ，２５ｂ：個別部（第１支部）
２５ｃ：第２支部
１６，２６，４６：切替制御部
４７，５７：調整用コンデンサ
４８：固定コンデンサ
６１Ａ：第１熱処理用電源
６１Ｂ：第２熱処理用電源
６２Ａ：第１整合器
６２Ｂ：第２整合器
６３：誘導加熱機
６３Ａ：第１電流変成器
６３Ｂ：第２電流変成器
６３Ｃ：加熱コイル
６４Ａ：第１切替器
６４Ｂ：第２切替器
６５Ａ：第１給電路
６５Ｂ：第２給電路
６６：切替制御部
６７Ａ：第１調整用コンデンサ
６７Ｂ：第２調整用コンデンサ
８７：調整用コンデンサ
【図１】
2015076142.tif 000003
【図２】
2015076142.tif 000004
【図３】
2015076142.tif 000005
【図４】
2015076142.tif 000006
【図５】
2015076142.tif 000007
【図６】
2015076142.tif 000008
【図７】
2015076142.tif 000009
【図８】
2015076142.tif 000010
【図９】
2015076142.tif 000011
【図１０】
2015076142.tif 000012
【図１１】
2015076142.tif 000013